【手続補正書】
【提出日】平成23年7月7日(2011.7.7)
【手続補正１】
【補正対象書類名】特許請求の範囲
【補正対象項目名】全文
【補正方法】変更
【補正の内容】
【特許請求の範囲】
【請求項１】
物体からの光が入射するレンズおよび、該レンズを保持する鏡筒を有してなるレンズユニットであって、
前記レンズの焦点像を顕微鏡で観察し、その観察結果に基づいて該レンズを所定の状態に位置調整するために、前記レンズの後方側において前記鏡筒内に、該レンズの焦点位置を後方側に延ばす光路延長部材を配置し、その状態で前記焦点像の観察がなされるレンズユニットにおいて、
前記鏡筒の一部に、その内部に配置された光路延長部材の前記レンズ側を向く前端面を受ける受け面を有する受け部が形成されるとともに、前記光路延長部材の後端面よりも後方に位置して、前記受け面に対して直角に延びるガイド挿入孔およびこのガイド挿入孔の周囲において前記受け面と平行に延びる取付面を有する取付部が形成されていることを特徴とするレンズユニット。
【請求項２】
物体からの光が入射するレンズおよび、該レンズを保持する鏡筒を有してなるレンズユニットであって、
前記レンズの焦点像を顕微鏡で観察し、その観察結果に基づいて該レンズを所定の状態に位置調整するために、前記レンズの後方側において前記鏡筒内に、該レンズの焦点位置を後方側に延ばす光路延長部材を配置し、その状態で前記焦点像の観察がなされるレンズユニットにおいて、
前記鏡筒の一部に、その内部に配置された光路延長部材の前記レンズ側を向く前端面と直角に交わる側面を受ける受け面を有する受け部が形成されるとともに、前記光路延長部材の後端面よりも後方に位置して、前記受け面に対して直角に延びるガイド挿入孔およびこのガイド挿入孔の周囲において前記受け面と平行に延びる取付面を有する取付部が形成されていることを特徴とするレンズユニット。
【請求項３】
前記鏡筒に、その中心軸に交わる方向から前記光路延長部材を受け入れる開口が形成されていることを特徴とする請求項１または２記載のレンズユニット。
【請求項４】
物体からの光が入射するレンズおよび、該レンズを保持する鏡筒を有してなるレンズユニットであって、
前記レンズの焦点像を顕微鏡で観察し、その観察結果に基づいて該レンズを所定の状態に位置調整するために、前記レンズの後方側において前記鏡筒内に、該レンズの焦点位置を後方側に延ばす光路延長部材を配置し、その状態で前記焦点像の観察がなされるレンズユニットにおいて、
前記鏡筒の一部に、該鏡筒の中心軸に対して略直角な受け面を有する受け部が形成されるとともに、前記光路延長部材の後端面よりも後方に位置して、前記受け面に対して直角に延びるガイド挿入孔およびこのガイド挿入孔の周囲において前記受け面と平行に延びる取付面を有する取付部が形成されていることを特徴とするレンズユニット。
【請求項５】
前記鏡筒に、その中心軸に対して平行な方向から前記光路延長部材を受け入れる開口が形成されていることを特徴とする請求項４記載のレンズユニット。
【請求項６】
物体からの光が入射するレンズおよび、該レンズを保持する鏡筒を有してなるレンズユニットであって、
前記レンズの焦点像を顕微鏡で観察し、その観察結果に基づいて該レンズを所定の状態に位置調整するために、前記レンズの後方側において前記鏡筒内に、該レンズの焦点位置を後方側に延ばす光路延長部材を配置し、その状態で前記焦点像の観察がなされるレンズユニットにおいて、
前記鏡筒の一部に、前記光路延長部材の周面を受けて該光路延長部材を位置決めする複数の突起が形成されていることを特徴とするレンズユニット。
【請求項７】
物体からの光が入射するレンズおよび、該レンズを保持する鏡筒を有してなるレンズユニットであって、
前記レンズの焦点像を顕微鏡で観察し、その観察結果に基づいて該レンズを所定の状態に位置調整するために、前記レンズの後方側において前記鏡筒内に、該レンズの焦点位置を後方側に延ばす光路延長部材を配置し、その状態で前記焦点像の観察がなされるレンズユニットにおいて、
前記鏡筒の一部に、前記光路延長部材に固定された複数のフランジ部を受承して該光路延長部材を位置決めするフランジ受け溝が形成されていることを特徴とするレンズユニット。
【請求項８】
物体からの光が入射するレンズおよび、該レンズを保持する鏡筒を有してなるレンズユニットであって、
前記レンズの焦点像を顕微鏡で観察し、その観察結果に基づいて該レンズを所定の状態に位置調整するために、前記レンズの後方側において前記鏡筒内に、該レンズの焦点位置を後方側に延ばす光路延長部材を配置し、その状態で前記焦点像の観察がなされるレンズユニットにおいて、
前記鏡筒の一部に、前記光路延長部材に固定された１つのフランジ部を受承して該光路延長部材を位置決めするフランジ受け溝および、この光路延長部材の周面を受けて該光路延長部材を位置決めする受け部が形成されていることを特徴とするレンズユニット。
【請求項９】
物体からの光が入射するレンズおよび、該レンズを保持する鏡筒を有してなるレンズユニットであって、
前記レンズの焦点像を顕微鏡で観察し、その観察結果に基づいて該レンズを所定の状態に位置調整するために、前記レンズの後方側において前記鏡筒内に、該レンズの焦点位置を後方側に延ばす光路延長部材を配置し、その状態で前記焦点像の観察がなされるレンズユニットにおいて、
前記鏡筒の一部に、前記光路延長部材に固定された１つのフランジ部を互いに異なる箇所で受承して該光路延長部材を位置決めする複数のフランジ受け溝が形成されていることを特徴とするレンズユニット。
【請求項１０】
物体からの光が入射するレンズおよび、該レンズを保持する鏡筒を有してなるレンズユニットであって、
前記レンズの焦点像を顕微鏡で観察し、その観察結果に基づいて該レンズを所定の状態に位置調整するために、前記レンズの後方側において前記鏡筒内に、該レンズの焦点位置を後方側に延ばす光路延長部材を配置し、その状態で前記焦点像の観察がなされるレンズユニットにおいて、
前記鏡筒の一部に、略角柱状に形成された前記光路延長部材を緊密に受承して該光路延長部材を位置決めする受け穴が形成されていることを特徴とするレンズユニット。
【請求項１１】
物体からの光が入射するレンズおよび、該レンズを保持する鏡筒を有してなるレンズユニットであって、
前記レンズの焦点像を顕微鏡で観察し、その観察結果に基づいて該レンズを所定の状態に位置調整するために、前記レンズの後方側において前記鏡筒内に、該レンズの焦点位置を後方側に延ばす光路延長部材を配置し、その状態で前記焦点像の観察がなされるレンズユニットにおいて、
前記鏡筒の一部に、略角柱状に形成された前記光路延長部材の１つの側面に各々が当接してこの側面を位置決めする複数の第１組の突起および、光路延長部材の前記１つの側面と交わる方向に延びる別の側面に各々が当接してこの別の側面を位置決めする複数の第２組の突起が形成されていることを特徴とするレンズユニット。
【請求項１２】
前記第１組の突起および第２組の突起として、各々３個ずつ突起が形成されていることを特徴とする請求項１１記載のレンズユニット。
【請求項１３】
物体からの光が入射するレンズおよび、該レンズを保持する鏡筒を有してなるレンズユニットであって、
前記レンズの焦点像を顕微鏡で観察し、その観察結果に基づいて該レンズを所定の状態に位置調整するために、前記レンズの後方側において前記鏡筒内に、該レンズの焦点位置を後方側に延ばす光路延長部材を配置し、その状態で前記焦点像の観察がなされるレンズユニットにおいて、
前記鏡筒の一部に、フランジ部が固定された前記光路延長部材を鏡筒の中心軸と交わる方向から受け入れる開口が形成されるとともに、この開口の周囲部分において前記フランジと当接して前記光路延長部材を位置決めする当接部が形成されていることを特徴とするレンズユニット。
【請求項１４】
前記鏡筒の前記開口の周囲部分に、前記フランジに形成された係合部と係合する少なくとも１つの係合部が形成されていることを特徴とする請求項１３記載のレンズユニット。
【請求項１５】
物体からの光が入射するレンズおよび、該レンズを保持する鏡筒を有してなるレンズユニットであって、
前記レンズの焦点像を顕微鏡で観察し、その観察結果に基づいて該レンズを所定の状態に位置調整するために、前記レンズの後方側において前記鏡筒内に、該レンズの焦点位置を後方側に延ばす光路延長部材を配置し、その状態で前記焦点像の観察がなされるレンズユニットにおいて、
前記鏡筒の一部に、前記光路延長部材の側面に形成された位置決めピンを受承して所定位置まで案内する案内溝が形成されていることを特徴とするレンズユニット。